【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
マルチメディアデータの出力モードを含む複数の動作モードを有する表示制御端末において、
前記出力モードと他の動作モードの実行制御を並行して行うモード制御手段と、
このモード制御手段の制御に従って、前記出力モードによる出力中に前記他の動作モードにおける操作画面を表示する表示手段と、
前記操作画面上で前記出力モードが動作中であることを示す指標を表示するよう制御する表示制御手段と、
を備えることを特徴とする表示制御端末。
【請求項２】
前記操作画面上で前記指標の表示が可能か否かを判断する判断手段を更に備え、
前記表示制御手段は、前記判断手段により表示が可能と判断されると、前記操作画面上で前記指標を表示するよう制御することを特徴とする請求項１に記載の表示制御端末。
【請求項３】
前記指標を指示する指示手段を更に備え、
この指示手段によって前記指標が指示されると、前記表示制御手段は、前記指標に対応する操作メニューを前記操作画面上に表示させることを特徴とする請求項１に記載の表示制御端末。
【請求項４】
前記マルチメディアデータとは音楽データであり、
前記表示制御手段は、前記操作メニューとして、出力される音楽データを制御する制御メニューを表示することを特徴とする請求項３に記載の表示制御端末。
【請求項５】
前記マルチメディアデータとは画像データであり、
前記表示制御手段は、前記操作メニューを表示する際に、前記操作画面上にサブ画面を形成し、前記操作メニューとともに前記画像データを縮小させてサブ画面上に表示させることを特徴とする請求項３に記載の表示制御端末。
【請求項６】
放送受信手段を更に備え、
前記画像データとは、この放送受信手段によって受信された映像データであり、前記操作メニューとして、前記放送受信手段を制御する制御メニューを表示することを特徴とする請求項５に記載の表示制御端末。
【請求項７】
無線通信手段を更に備え、
前記他の動作モードとは、この無線通信手段を動作させるモードであることを特徴とする請求項１乃至６の何れかに記載の表示制御端末。
【請求項８】
前記指標とはショートカットアイコンであることを特徴とする請求項１乃至７の何れかに記載の表示制御端末。
【請求項９】
マルチメディアデータの出力モードと他の動作モードの実行制御を並行して行うモード制御ステップと、
このモード制御ステップの制御に従って、前記出力モードによる出力中に前記他の動作モードにおける操作画面を表示させる表示ステップと、
前記操作画面上で前記出力モードが動作中であることを示す指標を表示するよう制御する表示制御ステップと、
からなることを特徴とする表示制御方法。
【請求項１０】
コンピュータを、
マルチメディアデータの出力モードと他の動作モードの実行制御を並行して行うモード制御手段、
このモード制御手段の制御に従って、前記出力モードによる出力中に前記他の動作モードにおける操作画面を表示させる表示手段、
前記操作画面上で前記出力モードが動作中であることを示す指標を表示するよう制御する表示制御手段、
として機能させることを特徴とする表示制御プログラム。
【手続補正２】
【補正対象書類名】明細書
【補正対象項目名】発明の名称
【補正方法】変更
【補正の内容】
【発明の名称】表示制御端末、表示制御方法、及び、表示制御プログラム
【手続補正３】
【補正対象書類名】明細書
【補正対象項目名】０００１
【補正方法】変更
【補正の内容】
【０００１】
本発明は、複数の動作モードを有する表示制御端末、複数の動作モードの並行処理時における操作画面の表示制御方法及び表示制御プログラムに関する。
【手続補正４】
【補正対象書類名】明細書
【補正対象項目名】０００６
【補正方法】変更
【補正の内容】
【０００６】
請求項１に記載の発明は、
マルチメディアデータの出力モードを含む複数の動作モードを有する表示制御端末において、
前記出力モードと他の動作モードの実行制御を並行して行うモード制御手段と、
このモード制御手段の制御に従って、前記出力モードによる出力中に前記他の動作モードにおける操作画面を表示する表示手段と、
前記操作画面上で前記出力モードが動作中であることを示す指標を表示するよう制御する表示制御手段と、
を備えることを特徴とする。
【手続補正５】
【補正対象書類名】明細書
【補正対象項目名】０００７
【補正方法】変更
【補正の内容】
【０００７】
請求項２に記載の発明は、請求項１に記載の表示制御端末において、
前記操作画面上で前記指標の表示が可能か否かを判断する判断手段を更に備え、
前記表示制御手段は、前記判断手段により表示が可能と判断されると、前記操作画面上で前記指標を表示するよう制御することを特徴とする。
請求項３に記載の発明は、請求項１に記載の表示制御端末において、
前記指標を指示する指示手段を更に備え、
この指示手段によって前記指標が指示されると、前記表示制御手段は、前記指標に対応する操作メニューを前記操作画面上に表示させることを特徴とする。
【手続補正６】
【補正対象書類名】明細書
【補正対象項目名】０００８
【補正方法】変更
【補正の内容】
【０００８】
請求項４に記載の発明は、請求項３に記載の表示制御端末において、
前記マルチメディアデータとは音楽データであり、
前記表示制御手段は、前記操作メニューとして、出力される音楽データを制御する制御メニューを表示することを特徴とする。
【手続補正７】
【補正対象書類名】明細書
【補正対象項目名】０００９
【補正方法】変更
【補正の内容】
【０００９】
請求項５に記載の発明は、請求項３に記載の表示制御端末において、
前記マルチメディアデータとは画像データであり、
前記表示制御手段は、前記操作メニューを表示する際に、前記操作画面上にサブ画面を形成し、前記操作メニューとともに前記画像データを縮小させてサブ画面上に表示させることを特徴とする。
【手続補正８】
【補正対象書類名】明細書
【補正対象項目名】００１０
【補正方法】変更
【補正の内容】
【００１０】
請求項６に記載の発明は、請求項５に記載の表示制御端末において、
放送受信手段を更に備え、
前記画像データとは、この放送受信手段によって受信された映像データであり、前記操作メニューとして、前記放送受信手段を制御する制御メニューを表示することを特徴とする。
【手続補正９】
【補正対象書類名】明細書
【補正対象項目名】００１１
【補正方法】変更
【補正の内容】
【００１１】
請求項７に記載の発明は、請求項１乃至６の何れかに記載の表示制御端末において、
無線通信手段を更に備え、
前記他の動作モードとは、この無線通信手段を動作させるモードであることを特徴とする。
【手続補正１０】
【補正対象書類名】明細書
【補正対象項目名】００１２
【補正方法】変更
【補正の内容】
【００１２】
請求項８に記載の発明は、請求項１乃至７の何れかに記載の表示制御端末において、
前記指標とはショートカットアイコンであることを特徴とする。
【手続補正１１】
【補正対象書類名】明細書
【補正対象項目名】００１３
【補正方法】変更
【補正の内容】
【００１３】
請求項９に記載の発明は、表示制御方法であって、
マルチメディアデータの出力モードと他の動作モードの実行制御を並行して行うモード制御ステップと、
このモード制御ステップの制御に従って、前記出力モードによる出力中に前記他の動作モードにおける操作画面を表示させる表示ステップと、
前記操作画面上で前記出力モードが動作中であることを示す指標を表示するよう制御する表示制御ステップと、
からなることを特徴とする。
【手続補正１２】
【補正対象書類名】明細書
【補正対象項目名】００１４
【補正方法】変更
【補正の内容】
【００１４】
請求項１０に記載の発明は、表示制御プログラムであって、コンピュータを、
マルチメディアデータの出力モードと他の動作モードの実行制御を並行して行うモード制御手段、
このモード制御手段の制御に従って、前記出力モードによる出力中に前記他の動作モードにおける操作画面を表示させる表示手段、
前記操作画面上で前記出力モードが動作中であることを示す指標を表示するよう制御する表示制御手段、
として機能させることを特徴とする。
【手続補正１３】
【補正対象書類名】明細書
【補正対象項目名】００１５
【補正方法】変更
【補正の内容】
【００１５】
本発明によれば、マルチメディアデータの出力モードと他の動作モードを並行処理する際に、ユーザの操作性を向上させることができる。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００９０
【補正方法】変更
【補正の内容】
【００９０】
１ａ、１ｂ  携帯電話機
２  アンテナ
３  無線部
４  無線処理部
８  制御部
１１  システムメモリ
１３  プログラムメモリ
１４  メディア処理部
１７  キー入力部
１７６  モードキー
１７７  ショートカットキー
１９０  メイン表示部
２３  リモコン
２５  チューナ
２６  ＯＦＤＭ復調処理部
ｃ１  ショートカットアイコン